(57)【要約】【課題】スピーカで聞く際の大きな音量レベルに設定されている状態でイヤホンで聞くと、音量が大き過ぎてびっくりすることがあり、再度音量を調整しなければならないという問題があった。【解決手段】呼出音によりユーザがイヤホンマイク２をコード巻取部３から引き出すと、ロータリエンコーダ４およびコード引出巻取検出部５によりイヤホンマイク２の引き出しが検出され、イヤホン使用信号およびオフフック信号が制御部７に送出され、制御部７が通話回路を閉成し、音量レベルを記憶部１０に記憶されたイヤホンを使用する場合の基準レベルに設定するので、ユーザは快適な音量で通話を行うことができる。【選択図】  図１
2004208166.tif 000002
【特許請求の範囲】
【請求項１】
イヤホンまたはイヤホンマイクのコードを携帯端末本体内に引き出し可能に巻き取るコード巻取手段と、前記コードの引き出しまたは巻き取りを検出するコード引出巻取検出手段と、前記コードの引き出しが検出された場合に、前記イヤホンの音量レベルを所定のレベルに設定する制御手段とを備えた携帯端末装置。
【請求項２】
前記コード引出巻取検出手段がロータリエンコーダであることを特徴とする請求項１に記載の携帯端末装置。
【請求項３】
前記コードの引き出しが検出された場合にオフフック信号を出力し、前記コードの巻き取りが検出された場合に、オンフック信号を出力する検出信号変換手段を備えたことを特徴とする請求項１または請求項２に記載の携帯端末装置。
【請求項４】
前記検出信号変換手段は、前記コードの引き出しが検出された場合にイヤホン使用信号を前記制御手段へ出力し、前記イヤホン使用信号を受けた前記制御手段は、音声入出力回路への接続を前記携帯端末本体に固定されたスピーカとマイクから前記イヤホンと前記マイクまたは前記イヤホンマイクへ切り換えることを特徴とする請求項１ないし請求項３のいずれかに記載の携帯端末装置。
【請求項５】
前記携帯端末本体に撮像カメラおよび映像信号処理手段を備え、前記制御手段は、前記コードの引き出しが検出された場合に、前記撮像カメラおよび前記映像信号処理手段を起動することを特徴とする請求項１ないし請求項４のいずれかに記載の携帯端末装置。
【発明の詳細な説明】
【０００１】
【発明の属する技術分野】
本発明は、イヤホンまたはイヤホンマイクのコードを装置本体内に引き出し可能に巻き取る携帯端末装置に関する。
【０００２】
【従来の技術】
従来、イヤホンを使用する携帯端末装置として、イヤホンコードを装置本体内のリールに巻取可能に構成した携帯電話装置が知られている（例えば、特許文献１参照）。この携帯電話装置は、図５に示すように、携帯電話本体１１０に送話用のマイク１１１を備えており、受話用イヤホン１１２はコード１１３を介して携帯電話本体１１０に接続されている。携帯電話本体１１０には、イヤホン１１２のコード１１３を巻き取るリールが内蔵され、通話していない時には、このリールにイヤホン１１２のコード１１３が巻き取られ、イヤホン１１２が携帯電話本体１１０の中に収納されるようになっている。
【０００３】
この携帯電話装置を用いるユーザは、携帯電話本体１１０を手に持ち、イヤホン１１２を耳の穴に入れて通話を行なうことになる。イヤホン１１２を携帯電話本体１１０から引き出すと、リールからコード１１３が引き出され、イヤホン１１２と機械的に接触している検出スイッチがオンになり、携帯電話装置がオフフック状態に切り換えられる。また、イヤホン１１２を携帯電話本体１１０内に巻取する際には、コード巻取操作レバーを押すことによりコード１１３がリールに巻き取られ、その際にコード巻取操作レバーに連動する検出スイッチがオンになり、携帯電話装置がオンフック状態に切り換えられる。
【０００４】
また、別の携帯電話装置として、マイクロホン付きイヤホンを利用してハンズフリー通話を行えるテレビ電話付きの携帯電話装置も知られている（例えば、特許文献２参照）。この種の携帯電話装置は、携帯電話本体とイヤホンマイクとが分離されており、イヤホンマイクを用いて通話する場合には、携帯電話本体のイヤホンジャックにイヤホンマイクコードのプラグを差し込む必要がある。
【０００５】
【特許文献１】
特開平７−１４３２１４号公報
【特許文献２】
特開平８―２９４０３０号公報
【０００６】
【発明が解決しようとする課題】
しかしながら、上記従来の携帯電話装置では、スピーカで聞く際の大きな音量レベルに設定されている状態でイヤホンで聞くと、音量が大き過ぎてびっくりすることがあり、再度音量を調整しなければならないという問題があった。
【０００７】
本発明は、このような従来の問題を解決するものであり、イヤホンを使用して通話する際に適切な音量で聞くことのできる携帯電話装置を提供することを目的とする。
【０００８】
【課題を解決するための手段】
上記目的を達成するため、本発明の携帯端末装置は、イヤホンまたはイヤホンマイクのコードを携帯端末本体内に引き出し可能に巻き取るコード巻取手段と、前記コードの引き出しまたは巻き取りを検出するコード引出巻取検出手段と、前記コードの引き出しが検出された場合に、前記イヤホンの音量レベルを所定のレベルに設定する制御手段とを備えたものである。この構成により、音量レベルがスピーカ用の大きなレベルに設定されている場合であっても、イヤホンを使用する場合には、イヤホンに適した音量に自動的に調整されるので、快適な通話を行うことができる。
【０００９】
また、本発明の携帯端末装置は、前記コード引出巻取検出手段がロータリエンコーダであることを特徴とする。この構成により、コードが引き出されたか巻き取られたかを容易に検出することができる。
【００１０】
また、本発明の携帯端末装置は、前記コードの引き出しが検出された場合にオフフック信号を出力し、前記コードの巻き取りが検出された場合に、オンフック信号を出力する検出信号変換手段を備えたことを特徴とする。この構成により、オフフックおよびオンフック動作をコードの引き出しおよび巻き取りに連動して行うことができる。
【００１１】
また、本発明の携帯端末装置は、前記検出信号変換手段が、前記コードの引き出しが検出された場合にイヤホン使用信号を前記制御手段へ出力し、前記イヤホン使用信号を受けた前記制御手段は、音声入出力回路への接続を前記携帯端末本体に固定されたスピーカとマイクから前記イヤホンと前記マイクまたは前記イヤホンマイクへ切り換えることを特徴とする。この構成により、コードの引き出しに連動して使用するイヤホンへの切り換えを自動的に行うことができる。
【００１２】
また、本発明の携帯端末装置は、前記携帯端末本体に撮像カメラおよび映像信号処理手段を備え、前記制御手段は、前記コードの引き出しが検出された場合に、前記撮像カメラおよび前記映像信号処理手段を起動することを特徴とする。この構成により、腕を伸ばして自分の顔を映してその表示画面を見ながらイヤホンを使用して快適な通話を行うことができる。
【００１３】
【発明の実施の形態】
以下、本発明の実施の形態について図面を用いて説明する。
（実施の形態１）
図１は本発明の第１の実施の形態における携帯電話装置の構成を示している。図１において、携帯電話本体１内には、イヤホンマイク２のコードを任意に巻き取り、または巻き戻すコード巻取部３と、コード巻取部３の回転動作を検出するロータリエンコーダ４と、ロータリエンコーダ４の出力信号からイヤホンマイクコードの引き出しまたは巻き取りを検出するコード引出巻取検出部５と、コード引出巻取検出部５の検出信号をイヤホンマイク使用信号およびオンフック信号またはオフフック信号に変換する検出信号変換部６と、音声入出力回路を含み、携帯電話本体１全体の制御を行なう制御部７と、高周波送受信回路を含む携帯電話無線部８と、送受信に兼用するアンテナ９と、入力設定情報や各種のプログラムおよびイヤホン使用時の音量レベル基準値等を記憶する記憶部１０と、テンキーや機能設定ボタンを有する操作入力部１１と、文字や図形、映像等を表示する液晶表示部１２と、携帯電話本体１に固定されたスピーカ１３とマイク１４とを備えている。
【００１４】
図２はイヤホンマイク２とコード巻取部３とロータリエンコーダ４の関係を示している。イヤホンマイク２は、イヤホン２ａとマイク２ｂとを多芯ケーブルであるイヤホンマイクコード２ｃで接続したものである。イヤホンマイクコード２ｃは、コード巻取部３のコードリール３ａに巻かれて、その端部がコードリール３ａから引き出されて、図１の制御部７に接続されている。コードリール３ａは、内部に発条を有し、コードを引き出すと発条が巻かれて回転エネルギが蓄積されるとともに、その引出位置がロックされ、その状態からさらに引き出すとロックが解除されて、蓄積された回転エネルギによりコードが自動的にコードリール３ａに巻き取られる構造になっている。また、コードリール３ａの回転軸３ｂにはロータリエンコーダ４が取り付けられており、回転角度に応じてロータリエンコーダ４内部の回路の抵抗値の変化し、その回転方向が分かるようになっている。
【００１５】
次に、本実施の形態１の動作について説明する。図１において、待ち受け状態にある携帯電話本体１において、アンテナ９から受信した着信信号により携帯電話無線部８が着信を検出すると、制御部７は呼出音を出力し、ユーザはイヤホンマイク２をコード巻取部３から引き出す。この動作により、ロータリエンコーダ４が所定方向に回転して、その信号によりコード引出巻取検出部５がコードの引き出しを検出し、検出信号変換部６がイヤホンマイク使用信号およびオフフック信号を通話制御部７に送出し、制御部７は、通話回路を閉成して、音声入出力回路をスピーカ１３およびマイク１４の接続からイヤホンマイク２への接続に切り換え、イヤホンマイク２よる通話を可能とする。その際、制御部７は、記憶部１０に記憶してあるイヤホン音量レベル基準値を取り出して音声出力回路の音量レベルをその値に設定する。通話が終了すると、ユーザは、イヤホンマイクコード２ｃを少し引っ張ることにより、イヤホンマイクコード２ｃがコード巻取部３に自動的に巻き取られる。この動作により、ロータリエンコーダ４が所定方向に回転して、その信号によりコード引出巻取検出部５がコードの巻き取りを検出し、検出信号変換部６がオンフック信号を制御部７に送出し、制御部７は、通話回路を開成して、音声入出力回路をイヤホンマイク２からスピーカ１３およびマイク１４に切り換え、待ち受け状態に移行する。
【００１６】
このように、本実施の形態１によれば、呼出音によりユーザがイヤホンマイク２をコード巻取部３から引き出すと、ロータリエンコーダ４およびコード引出巻取検出部５によりイヤホンマイク２の引き出しが検出され、イヤホン使用信号およびオフフック信号を制御部７に送出して、制御部７が通話回路を閉成し、音量レベルを記憶部１０に記憶されたイヤホンを使用する場合の基準レベルに設定するので、ユーザは快適な音量で通話を行うことができる。
【００１７】
（実施の形態２）
次に、本発明の第２の実施の形態について説明する。図３は本実施の形態２における携帯電話装置の構成を示している。携帯電話本体２１は、図１に示した構成に、ＣＣＤカメラ１５と映像信号処理部１６を追加したものであり、これに伴い、制御部２２における制御の仕方も若干異なっている。他の構成は実施の形態１と同様なので、同様な構成要素には同様な符号を付して重複した説明は省略する。ＣＣＤカメラ１４は、図４に示すように、筐体２３の上部前面に設けられている。筐体２３の前面には、その他に、スピーカ１３、液晶表示部１２、操作入力部１１、マイク１４などが配置されている。イヤホンマイク２は筐体２３の側面から引き出される。
【００１８】
次に、本実施の形態２における動作について説明する。イヤホンマイク２を使用しての通話動作は実施の形態１と同様であるので、ここではテレビ電話動作について説明する。まず、通話相手との回線が接続されると、ユーザは、イヤホンマイク２を筐体２３から引き出してイヤホンを耳の穴に入れ、マイクを口元に近づけ、操作入力部１１からカメラボタンを押す。これにより、制御部２２が映像信号処理部１６およびＣＣＤカメラ１５を起動するので、ユーザは、携帯電話本体２１を持った手を伸ばしてＣＣＤカメラ１５を自分の方に向け、その映像を液晶表示部１２で確認しながら相手と通話を行う。通話が終了すると、再度カメラボタンを押すことにより、制御部７は、映像信号処理部１６およびＣＣＤカメラ１５をオフにし、イヤホンマイク２の巻き取りにより、通話回路を開成して、音声入出力回路をイヤホンマイク２からスピーカ１３およびマイク１４に切り換え、待ち受け状態に移行する。
【００１９】
このように、本実施の形態２によれば、携帯電話本体２１にＣＣＤカメラ１５と映像信号処理部１６とを備えており、テレビ電話が可能になっている。テレビ電話を使用する際には、携帯電話本体２１を持った腕を伸ばして、ＣＣＤカメラ１５を自分の方に向けて通話するので、イヤホンマイク２の使用が十分に生かされることになる。
【００２０】
なお、上記各実施の形態では、イヤホンマイク２を使用したが、イヤホンだけの場合も使用可能であり、その際にはイヤホンと携帯電話本体に備え付けのマイク１４を使用することになり、制御部７、２２は、イヤホンコードが引き出されたことが検出された場合には、音声入出力回路への接続をスピーカ１３とマイク１４からイヤホンとマイク１４とに切り換える制御を行うことになる。また、イヤホンとイヤホンマイクの両方を使用可能に構成することもでき、その場合には、操作入力部１１からイヤホンの使用かイヤホンマイクの使用かを設定しておくことにより、制御部７、２２はどちらが使用されているかを判断することができる。
【００２１】
また、上記各実施の形態では、本発明の携帯端末装置を携帯電話装置として説明したが、本発明は、携帯無線装置やＰＤＡなどの他の携帯端末装置にも適用できるものである。
【００２２】
【発明の効果】
以上説明したように、本発明の携帯端末装置は、イヤホンまたはイヤホンマイクのコードを携帯端末本体内に引き出し可能に巻き取るコード巻取手段と、コードの引き出しまたは巻き取りを検出するコード引出巻取検出手段と、前記コードの引き出しが検出された場合に、前記イヤホンの音量レベルを所定のレベルに設定する制御手段とを備えているので、音量レベルがスピーカ用の大きなレベルに設定されている場合であっても、イヤホンを使用する場合には、イヤホンに適した音量に自動的に調整され、快適な通話を行うことができる。
【図面の簡単な説明】
【図１】本発明の実施の形態１における携帯電話装置の構成を示すブロック図
【図２】本発明の実施の形態１におけるコード巻取部の構成を示す平面図
【図３】本発明の実施の形態２における携帯電話装置の構成を示すブロック図
【図４】本発明の実施の形態２における携帯電話装置の全体を示す斜視図
【図５】従来例における携帯電話装置の全体を示す斜視図
【符号の説明】
１  携帯電話本体
２  イヤホンマイク
２ａ  イヤホン
２ｂ  マイク
２ｃ  イヤホンマイクコード
３  コード巻取部
４  ロータリエンコーダ
５  コード引出巻取検出部
６  検出信号変換部
７  制御部
８  携帯電話無線部
９  アンテナ
１０  記憶部
１１  操作入力部
１２  液晶表示部
１３  スピーカ
１４  マイク
１５  ＣＣＤカメラ
１６  映像信号処理部
２１  携帯電話本体
２２  制御部
２３  筐体
【図１】
2004208166.tif 000003
【図２】
2004208166.tif 000004
【図３】
2004208166.tif 000005
【図４】
2004208166.tif 000006
【図５】
2004208166.tif 000007